(57)【要約】【課題】既存外壁を新設外壁に取り替える場合に、作業効率の低下を防止しつつ、新設外壁が損傷するのを防止できる構造物改築方法を提供すること。【解決手段】構造物改築方法は、既存建物１を改築する方法である。この構造物改築方法は、既存建物１から吊下げ支持されて既存建物１を囲む基部２１、この基部２１の上側に設けられて既存建物１の外周面を覆う上側仮設壁２２、および基部２１の下側に設けられて既存建物１の外周面を覆う下側仮設壁２３を備える外周足場２０を架設するステップＳ１、Ｓ２と、下側仮設壁２３で囲まれた解体作業スペース４０で、既存外壁１４を解体するとともに、上側仮設壁２２で囲まれた新設作業スペース５０で、新設外壁１６を取り付けるステップＳ３と、外周足場２０を下方に移動しながらステップＳ３を繰り返すステップＳ４、Ｓ５と、を備える。【選択図】図２
2015014161.tif 000002
【特許請求の範囲】
【請求項１】
既存構造物を改築する構造物改築方法であって、
前記既存構造物に支持されて当該既存構造物を囲む基部、当該基部の上側に設けられて前記既存構造物の外周面を覆う上側仮設壁、および前記基部の下側に設けられて前記既存構造物の外周面を覆う下側仮設壁を備える仮設壁を架設する初期工程と、
前記下側仮設壁で囲まれた空間で、少なくとも既存外壁を解体するとともに、前記上側仮設壁で囲まれた空間で、少なくとも新設外壁を取り付ける改築工程と、
前記仮設壁を下方に移動しながら前記改築工程を繰り返す繰り返し工程と、を備えることを特徴とする構造物改築方法。
【請求項２】
前記上側仮設壁および前記下側仮設壁を、それぞれ、枠組足場を積層して構成することを特徴とする請求項１に記載の構造物改築方法。
【請求項３】
既存構造物を改築する構造物改築システムであって、
前記既存構造物に支持されて当該既存構造物を囲む基部、当該基部の上側に設けられて前記既存構造物の外周面を覆う上側仮設壁、および前記基部の下側に設けられて前記既存構造物の外周面を覆う下側仮設壁を有する仮設壁を備え、
前記下側仮設壁で囲まれた空間内では、少なくとも既存外壁が解体され、
前記上側仮設壁で囲まれた空間内では、少なくとも新設外壁が取り付けられることを特徴とする構造物改築システム。
【請求項４】
前記上側仮設壁および前記下側仮設壁は、それぞれ、枠組足場を積層して構成されることを特徴とする請求項３に記載の構造物改築システム。
【請求項５】
既存構造物を改築する構造物改築方法であって、
前記既存構造物を囲む基部で作業空間を上下に仕切って、
一方の作業空間では、当該既存構造物の外壁を解体し、他方の作業空間では、当該既存構造物に新たに外壁を取り付けることを特徴とする構造物改築方法。
【請求項６】
既存構造物を上階から下階に向かって改築する構造物改築方法であって、
任意の階の少なくとも一部の躯体を残して解体する解体工程と、
当該解体した階を改築する改築工程と、
仮設壁が下降する下降工程を備え、
前記解体工程および前記改築工程を同時期に並行して行うことを特徴とする構造物改築方法。
【発明の詳細な説明】
【技術分野】
【０００１】
本発明は、構造物改築方法および構造物改築システムに関する。詳しくは、既存構造物を改築する構造物改築方法および構造物改築システムに関する。
【背景技術】
【０００２】
従来より、高層建物の既存外壁を解体して、新たに外壁パネルを取り付ける場合がある。この場合、高層建物に枠組み足場を設置することが困難であるうえに、外壁パネルはかなりの重量物であるため、例えば、以下のような施工システムが提案されている（特許文献１参照）。
【０００３】
すなわち、施工システムは、建物の屋上階に設けられた支持フレームと、支持フレームに支持されて外壁面の所定位置まで作業員を搬送するゴンドラ機構と、支持フレームに支持されて外壁面の所定位置まで外壁パネルを搬送する走行式搬送機構と、支持フレームに吊り下げ支持されてゴンドラ機構および走行式搬送機構の移動範囲を覆う養生する吊り足場と、地表から建物上部に向かって外壁パネルを搬送する仮設リフトと、を備える。
【０００４】
支持フレームは、建物の屋上階に設けられて外方に張り出した複数の支持アームと、これら支持アームの先端に設けられて建物の外周に沿って延びる２条の軌条と、を備える。
ゴンドラ機構は、作業員が搭乗するゴンドラと、ワイヤを介してゴンドラを吊り下げ支持しつつ支持フレーム先端の軌条に沿って移動可能な台車と、を備える。このゴンドラ機構によれば、作業員が搭乗したゴンドラを、水平方向あるいは上下方向に移動することができる。
【０００５】
走行式搬送機構は、支持フレーム先端の軌条に沿って移動可能であり、ワイヤを介して外壁パネルを吊り下げ支持可能である。この走行式搬送機構によれば、外壁パネルを、水平方向あるいは上下方向に移動することができる。
仮設リフトは、外壁面に沿って地表から建物上部まで延びた軌条と、この軌条に沿って移動するケージと、を備えている。この仮設リフトによれば、ケージを軌条に沿って上昇させることにより、外壁パネルを地表から建物上部まで搬送できる。
【０００６】
この施工システムによれば、以下の手順で外壁パネルを取り付ける。
まず、ゴンドラ機構および走行式搬送機構の作業範囲を決定し、この作業範囲を覆うように吊り足場をセットする。
次に、仮設リフトのケージに外壁パネルを載せて、その後、ケージを軌条に沿って上昇させて、外壁パネルを地表から建物上部まで搬送する。次に、仮設リフトのケージ上の外壁パネルを走行式搬送機構により吊り下げ支持させる。次に、ゴンドラ機構によりゴンドラを所定位置まで移動させるととともに、走行式搬送機構により外壁パネルを所定位置まで移動させる。次に、ゴンドラ上の作業員により、走行式搬送機構に支持された外壁パネルを所定位置に取り付ける。このような作業を繰り返すことにより、所定の作業範囲に外壁パネルを取り付ける。
【先行技術文献】
【特許文献】
【０００７】
【特許文献１】特開２００６−３４８６９１号公報
【発明の概要】
【発明が解決しようとする課題】
【０００８】
しかしながら、上述のような施工システムでは、所定の作業範囲内で、既存外壁の取り外し作業および新設の外壁パネルの取り付け作業を同時に行う。したがって、作業が複雑になるので、作業効率が低下するうえに、取り外した既存外壁が新設外壁に接触して、新設外壁が損傷するおそれがあった。
【０００９】
本発明は、既存外壁を新設外壁に取り替える場合に、作業効率の低下を防止しつつ、新設外壁が損傷するのを防止できる構造物改築方法および構造物改築システムを提供することを目的とする。
【課題を解決するための手段】
【００１０】
請求項１に記載の構造物改築方法は、既存構造物（例えば、後述の既存建物１）を改築する構造物改築方法であって、前記既存構造物に支持されて当該既存構造物を囲む基部（例えば、後述の基部２１）、当該基部の上側に設けられて前記既存構造物の外周面を覆う上側仮設壁（例えば、後述の上側仮設壁２２）、および前記基部の下側に設けられて前記既存構造物の外周面を覆う下側仮設壁（例えば、後述の下側仮設壁２３）を備える仮設壁を架設する初期工程（例えば、後述のステップＳ１、Ｓ２）と、前記下側仮設壁で囲まれた空間（例えば、後述の解体作業スペース４０）で、少なくとも既存外壁（例えば、後述の既存外壁１４）を解体するとともに、前記上側仮設壁で囲まれた空間（例えば、後述の新設作業スペース５０）で、少なくとも新設外壁（例えば、後述の新設外壁１６）を取り付ける改築工程（例えば、後述のステップＳ３）と、前記仮設壁を下方に移動しながら前記改築工程を繰り返す繰り返し工程（例えば、後述のステップＳ４、Ｓ５）と、を備えることを特徴とする。
【００１１】
この発明によれば、基部、上側仮設壁、下側仮設壁を備える仮設壁を架設する。このとき、基部により、仮設壁で囲まれた作業空間を、上下２つの作業空間、つまり、上側仮設壁で囲まれた上側の作業空間と、下側仮設壁で囲まれた下側の作業空間と、に仕切る。
次に、下側仮設壁で囲まれた空間で、少なくとも既存外壁を解体するとともに、上側仮設壁で囲まれた空間で、少なくとも新設外壁を取り付ける。そして、仮設壁を下方に移動しながら、既存外壁の解体および新設外壁の取り付けを繰り返す。
【００１２】
このように、仮設壁で囲まれた作業空間を基部で上下に仕切って、一方の作業空間つまり仮設壁で囲まれた下側の空間では、既存外壁を解体しつつ、他方の作業空間つまり仮設壁で囲まれた上側の空間では、新設外壁を新たに取り付ける。したがって、既存外壁の取り外し作業と新設外壁の取り付け作業とを異なる作業エリアで同時に行うことができ、作業効率を向上できる。また、作業者の安全性を確保できるうえに、資材や工具の飛来や落下を確実に防止できる。
また、新設外壁の取り付け作業を行う層（フロア）では、既に既存外壁の取り外し作業が完了しているので、取り外した既存外壁が新設外壁に接触して、新設外壁が損傷することはない。
【００１３】
また、作業エリアを上側仮設壁および下側仮設壁で囲んだので、既存構造物の解体時に、粉塵が周囲に飛散するのを防止できるうえに、騒音を低減でき、さらには、解体材の落下も防止できる。よって、周辺環境に与える負荷を少なくできる。
【００１４】
また、既存構造物の高層部を解体する場合でも、仮設壁により風の影響を受けないので、効率よく既存構造物を解体できる。
【００１５】
請求項２に記載の構造物改築方法は、前記上側仮設壁および前記下側仮設壁を、それぞれ、枠組足場（例えば、後述の枠組足場２４）を積層して構成することを特徴とする。
【００１６】
この発明によれば、上側仮設壁を、枠組足場を積層して構成したので、上側仮設壁の基部からの高さを適宜調整して、新設外壁の取り付け作業の作業エリアを任意の広さに設定できる。また、下側仮設壁を、枠組足場を積層して構成したので、下側仮設壁の基部からの深さ（すなわち、基部から下側仮設壁の下端までの距離）を適宜調整して、既設壁の解体作業の作業エリアを任意の広さに設定できる。
また、枠組足場をさらに積層したり、一部の枠組足場を撤去したりすることで、仮設壁の高さ（深さ）を後から自在に調整できる。
【００１７】
請求項３に記載の構造物改築システムは、既存構造物を改築する構造物改築システムであって、前記既存構造物に支持されて当該既存構造物を囲む基部、当該基部の上側に設けられて前記既存構造物の外周面を覆う上側仮設壁、および前記基部の下側に設けられて前記既存構造物の外周面を覆う下側仮設壁を有する仮設壁を備え、前記下側仮設壁で囲まれた空間内では、少なくとも既存外壁が解体され、前記上側仮設壁で囲まれた空間内では、少なくとも新設外壁が取り付けられることを特徴とする。
【００１８】
この発明によれば、上述の請求項１と同様の効果がある。
【００１９】
請求項４に記載の構造物改築システムは、前記上側仮設壁および前記下側仮設壁は、それぞれ、枠組足場を積層して構成されることを特徴とする。
【００２０】
この発明によれば、上述の請求項２と同様の効果がある。
【００２１】
請求項５に記載の構造物改築方法は、既存構造物（例えば、後述の既存建物１）を改築する構造物改築方法であって、前記既存構造物を囲む基部（例えば、後述の基部２１）で作業空間を上下に仕切って、一方の作業空間（例えば、後述の解体作業スペース４０）では、当該既存構造物の外壁（例えば、後述の既存外壁１４）を解体し、他方の作業空間では、当該既存構造物に新たに外壁（例えば、後述の新設外壁１６）を取り付けることを特徴とする。
【００２２】
この発明によれば、上述の請求項１と同様の効果がある。
【００２３】
請求項６に記載の構造物改築方法は、既存構造物を上階から下階に向かって改築する構造物改築方法であって、任意の階の少なくとも一部の躯体を残して解体する解体工程と、当該解体した階を改築する改築工程と、仮設壁が下降する下降工程を備え、前記解体工程および前記改築工程を同時期に並行して行う（例えば、後述のステップＳ３）ことを特徴とする。
【００２４】
この発明によれば、上述の請求項１と同様の効果がある。
【発明の効果】
【００２５】
本発明によれば、仮設壁で囲まれた作業空間を基部で上下に仕切って、一方の作業空間つまり仮設壁で囲まれた下側の空間では、既存外壁を解体しつつ、他方の作業空間つまり仮設壁で囲まれた上側の空間では、新設外壁を新たに取り付ける。したがって、既存外壁の取り外し作業と新設外壁の取り付け作業とを異なる作業エリアで同時に行うことができ、作業効率を向上できる。また、作業者の安全性を確保できるうえに、資材や工具の飛来や落下を確実に防止できる。また、新設外壁の取り付け作業を行う層（フロア）では、既に既存外壁の取り外し作業が完了しているので、取り外した既存外壁が新設外壁に接触して、新設外壁が損傷することはない。また、作業エリアを上側仮設壁および下側仮設壁で囲んだので、既存構造物の解体時に、粉塵が周囲に飛散するのを防止できるうえに、騒音を低減でき、さらには、解体材の落下も防止できる。よって、周辺環境に与える負荷を少なくできる。また、既存構造物の高層部を解体する場合でも、仮設壁により風の影響を受けないので、効率よく既存構造物を解体できる。
【図面の簡単な説明】
【００２６】
【図１】本発明の一実施形態に係る構造物改築方法が適用される既存構造物の断面図である。
【図２】前記実施形態に係る構造物改築方法により既存構造物を改築する手順のフローチャートである。
【図３】前記実施形態に係る構造物改築方法により既存構造物を改築する手順を説明するための図（その１）である。
【図４】前記実施形態に係る構造物改築方法の仮設壁を架設する手順を説明するための図である。
【図５】前記実施形態に係る構造物改築方法の仮設壁の基部の拡大断面図である。
【図６】前記実施形態に係る構造物改築方法により既存構造物を改築する手順を説明するための図（その２）である。
【図７】前記実施形態に係る構造物改築方法により既存構造物を改築する手順を説明するための図（その３）である。
【図８】前記実施形態に係る構造物改築方法により既存構造物を改築する手順を説明するための図（その４）である。
【図９】前記実施形態に係る構造物改築方法により既存構造物を改築する手順を説明するための図（その５）である。
【発明を実施するための形態】
【００２７】
以下、本発明の一実施形態について、図面を参照しながら説明する。
図１は、本発明の一実施形態に係る構造物改築方法が適用される既存構造物としての既存建物１の断面図である。
既存建物１は、ｍ（ｍは自然数）階建ての高層建物である。この既存建物１は、骨組みつまり構造体として、複数本の既存柱１１と、これら既存柱１１同士を連結する複数の既存大梁１２と、を備える。また、この既存建物１は、非構造体として、既存床スラブ１３、既存外壁１４、既存間仕切壁１５などを備える。
【００２８】
本発明の構造物改築方法は、この既存建物１を改築するものである。具体的には、既存建物１の既存外壁１４を解体して、新設外壁１６（図９参照）を取り付けるものである。
【００２９】
以下、既存建物１を改築する手順について、図２のフローチャートを参照しながら説明する。
【００３０】
ステップＳ１では、図３に示すように、仮設壁としての外周足場２０を架設する。
この外周足場２０は、既存建物１の屋上階の既存床スラブ１３から吊下げ支持されて既存建物１を囲む矩形枠状の基部２１と、この基部２１の上側に設けられて既存建物１の外周面を覆う上側仮設壁２２と、基部２１の下側に設けられて既存建物１の外周面を覆う下側仮設壁２３と、を備える。
【００３１】
上側仮設壁２２および下側仮設壁２３は、それぞれ、既存建物１の２層分の高さであり、枠組足場２４を例えば６段ずつ積層して構成される。すなわち、上側仮設壁２２は、基部２１上に枠組足場２４を上方に向かって積層することで架設される。一方、下側仮設壁２３は、基部２１の下面から、枠組足場２４を吊下げ支持しながら下方に向かって積層することで架設される。
【００３２】
また、上側仮設壁２２の外周面は、メッシュシート２５で覆われている。なお、これに限らず、上側仮設壁２２の外周面を防音パネルで覆ってもよい。
また、下側仮設壁２３の外周面は、防音パネル２６で覆われている。なお、これに限らず、下側仮設壁２３の外周面をメッシュシートで覆ってもよい。
【００３３】
具体的には、まず、図４に示すように、既存建物１の屋上階の既存床スラブ１３に、基部２１を支持する支持装置３０を所定間隔おきに設ける。この支持装置３０は、屋上階の既存床スラブ１３に設けられて既存建物１の外側に向かって突出して延びる延出部３１と、この延出部３１の先端に設けられた油圧ジャッキ３２と、この油圧ジャッキ３２に昇降可能に支持されて基部２１に連結された吊り材３３と、を備える。
なお、本実施形態では、延出部３１をトラス梁とするが、これに限らず、Ｈ鋼など直線状の鋼材でもよい。
【００３４】
次に、図４に示すように、外周足場２０を、支持装置３０で吊下げ支持して架設する。なお、図４では、理解の容易のため、上側仮設壁２２および下側仮設壁２３を破線で示している。
【００３５】
すなわち、まず、油圧ジャッキ３２から吊り材３３を介して基部２１を吊下げ支持する。このとき、基部２１の高さを（ｍ−３）階床レベルとし、基部２１の外側を吊り材３３で吊下げ支持する。
次に、この基部２１の上側に上側仮設壁２２を架設するとともに、基部２１の下側に下側仮設壁２３を架設する。
【００３６】
以下、上側仮設壁２２で囲まれた空間を新設作業スペース５０とし、下側仮設壁２３で囲まれた空間を解体作業スペース４０とする。すると、新設作業スペース５０は、ｍ階および（ｍ−１）階に設けられ、解体作業スペース４０は、（ｍ−２）階および（ｍ−３）階に設けられる。
【００３７】
図５は、外周足場２０の基部２１の拡大断面図である。
基部２１には、基部２１と既存建物１の外壁面との隙間を塞ぐ隙間塞ぎ部材２７が設けられている。この隙間塞ぎ部材２７は、平板状の塞ぎ部材本体２７１と、この塞ぎ部材本体２７１の先端縁に設けられて弾性変形可能なゴム部材２７２と、を備える。ゴム部材２７２は、既存建物１の外壁面に密着しており、これにより、基部２１と既存建物１の外壁面との隙間を確実に塞いでいる。
【００３８】
したがって、この基部２１の隙間塞ぎ部材２７は、外周足場２０で囲まれた作業空間を、上下２つの作業空間、つまり、上側仮設壁２２で囲まれた新設作業スペース５０と、下側仮設壁２３で囲まれた解体作業スペース４０と、に仕切っている。
【００３９】
また、上側仮設壁２２および下側仮設壁２３には、既存建物１の外壁面に沿って移動可能な移動壁繋ぎ２８が設けられている。移動壁繋ぎ２８の先端部は、既存建物１の外壁面に設けられて略鉛直方向に延びる図示しないゴンドラガイドに係止しており、これにより、移動壁繋ぎ２８は、ゴンドラガイドに沿って移動可能でかつ外壁面の面外方向への移動が規制される。
【００４０】
ステップＳ２では、図６に示すように、新設作業スペース５０内で、既存建物１の既存外壁１４を解体する。
この解体作業では、既存外壁１４を取り外した後、解体作業スペース４０内で小割りして、既存建物１の図示しない内部エレベータを利用して下階に運搬する。あるいは、既存建物１の内部または外周部に図示しない搬出口を設け、この搬出口を通して、下階に運搬してもよい。下階に運搬した解体材は、リサイクル可能な材料と産業廃棄物との仕分けを行って、場外に搬出する。
【００４１】
ステップＳ３では、図７に示すように、解体作業スペース４０内で、ステップＳ２と同様に既存建物１の既存外壁１４を解体する。
また、既存外壁１４の解体と同時に、図７に示すように、新設作業スペース５０内で、新設外壁１６を取り付ける。このとき、補強柱や補強梁を適宜設けてもよい。
この取り付け作業では、既存建物１の図示しない内部エレベータを利用して、新設外壁１６を下階から当階まで運搬する。
【００４２】
ステップＳ４では、図８に示すように、外周足場２０を２層分だけ下方に移動する。具体的には、油圧ジャッキ３２を駆動して、吊り材３３を下降させることで、外周足場２０を下方に移動させる。
これにより、新設作業スペース５０および解体作業スペース４０を２層だけ下方に形成する。つまり、新設作業スペース５０は、（ｍ−２）階および（ｍ−３）階に位置し、解体作業スペース４０は、（ｍ−４）階および（ｍ−５）階に位置する。
【００４３】
ステップＳ５では、図９に示すように、ステップＳ３を実行して、既存外壁１４を解体するとともに新設外壁１６を取り付ける。このように、ステップＳ３、Ｓ４を１セットとして繰り返して、上階から下階に向かって改築作業を行う。
【００４４】
本実施形態によれば、以下のような効果がある。
（１）外周足場２０で囲まれた作業空間を基部２１で上下に仕切って、下側仮設壁２３で囲まれた下側の空間つまり解体作業スペース４０内では、既存外壁１４を解体しつつ、上側仮設壁２２で囲まれた上側の空間つまり新設作業スペース５０内では、新設外壁１６を新たに取り付ける。したがって、既存外壁１４の取り外し作業と新設外壁１６の取り付け作業とを異なる作業エリアで同時に行うことができ、作業効率を向上できる。また、作業者の安全性を確保できるうえに、資材や工具の飛来や落下を確実に防止できる。
また、新設外壁１６の取り付け作業を行う層（フロア）では、既に既存外壁１４の取り外し作業が完了しているので、取り外した既存外壁１４が新設外壁１６に接触して、新設外壁１６が損傷することはない。
【００４５】
作業エリアを上側仮設壁２２および下側仮設壁２３で囲んだので、既存建物１の解体時に、粉塵が周囲に飛散するのを防止できるうえに、騒音を低減でき、さらには、解体材の落下も防止できる。よって、周辺環境に与える負荷を少なくできる。
【００４６】
また、既存建物１の高層部を解体する場合でも、外周足場２０により風の影響を受けないので、効率よく既存建物１を解体できる。
【００４７】
（２）上側仮設壁２２を、枠組足場２４を積層して構成したので、上側仮設壁２２の基部２１からの高さを適宜調整して、新設作業スペース５０を任意の広さに設定できる。また、下側仮設壁２３を、枠組足場２４を積層して構成したので、下側仮設壁２３の基部２１からの深さ（すなわち、基部２１から下側仮設壁２３の下端までの距離）を適宜調整して、解体作業スペース４０を任意の広さに設定できる。
また、枠組足場２４をさらに積層したり、一部の枠組足場２４を撤去したりすることで、仮設壁２２、２３の高さ（深さ）を後から自在に調整できる。
【００４８】
なお、本発明は前記実施形態に限定されるものではなく、本発明の目的を達成できる範囲での変形、改良等は本発明に含まれるものである。
また、本実施形態では、外周足場２０を既存建物１の屋上階近傍で架設したが、これに限らず、外周足場２０を地上にて架設し、その後、油圧ジャッキ３２を駆動して、外周足場２０を地上から既存建物１の屋上階近傍まで上昇させてもよい。
【００４９】
また、本実施形態では、基部２１を、既存建物１の屋上階の既存床スラブ１３から吊下げ支持したが、これに限らない。例えば、既存建物１の構造体から略水平に基部２１を張り出してもよい。この場合、基部２１を盛り替えることで、外周足場２０を下方に移動する。
【００５０】
また、外周足場２０を既存建物１の側面毎に分割可能としてもよい。例えば、本実施形態では、外周足場２０を４つに分割可能とし、分割した外周足場２０のそれぞれが既存建物１の一つの側面を覆うようにする。この場合、既存建物１の各側面の工事の進行状況に応じて、分割した外周足場２０を下方に移動させると、分割した外周足場２０同士の間には段差が生じるので、この段差部分にも足場を架設する。
【符号の説明】
【００５１】
１…既存建物（既存構造物）
１１…既存柱
１２…既存大梁
１３…既存床スラブ
１４…既存外壁
１５…既存間仕切壁
１６…新設外壁
２０…外周足場（仮設壁）
２１…基部
２２…上側仮設足場
２３…下側仮設足場
２４…枠組足場
２５…メッシュシート
２６…防音パネル
２７…隙間塞ぎ部材
２８…移動壁繋ぎ
３０…支持装置
３１…延出部
３２…油圧ジャッキ
３３…吊り材
４０…解体作業スペース
５０…新設作業スペース
２７１…板本体
２７２…ゴム部材
【図１】
2015014161.tif 000003
【図２】
2015014161.tif 000004
【図３】
2015014161.tif 000005
【図４】
2015014161.tif 000006
【図５】
2015014161.tif 000007
【図６】
2015014161.tif 000008
【図７】
2015014161.tif 000009
【図８】
2015014161.tif 000010
【図９】
2015014161.tif 000011